(57)【要約】【課題】従来の竿ピンチでは、物干し竿にシャツ等の洗濯物を干す際にハンガーを固定して吊るす用途に限定され、ベビーカーや車椅子などにかばんやレジ袋等の荷物をかけたりという、使用者に合わせた用途では使用できず、使用方法が限られているという問題があった。【解決手段】竿状体に取りつけて使用される竿ピンチを、連結部によって開閉前記挟持片が閉じる方向へ付勢する弾性部材と、前記挟持片と一体成形され、前記一対の挟持片を開閉させる為の操作部となる一対の挟持部とからなり、前記挟持部が掛止構造を備え、前記把持部の少なくとも一方が鉤型構造で、前記把持部の少なくとも一方が前記把持部を貫通する孔型構造であるように構成する。【選択図】図１
2019150541.tif 000002
【特許請求の範囲】
【請求項１】
竿状体に取り付けて使用される竿ピンチであって、
連結部によって開閉自在に連結される一対の挟持片と、
前記挟持片が閉じる方向へ付勢する弾性部材と、
前記挟持片と一体成形され、前記一対の挟持片を開閉させるための操作部となる一対の把持部とからなり、
前記把持部が掛止構造を備えることを特徴とする竿ピンチ
【請求項２】
前記掛止構造が、前記把持部の少なくとも一方が鉤型構造であることを特徴とする、請求項１に記載された竿ピンチ。
【請求項３】
前記掛止構造が、前記把持部の少なくとも一方が前記把持部を貫通する孔型構造であることを特徴とする、請求項１に記載された竿ピンチ。
【請求項４】
前記一対の挟持片の一方が鉤型に構成され、もう一方が前記鉤型挟持片とかみ合う際に略円形となるように構成されていることを特徴とする、請求項１ないし請求項３のいずれか１項に記載された竿ピンチ。
【請求項５】
前記掛止構造が、内側に滑り止めを備えることを特徴とする、請求項１ないし請求項４のいずれか１項に記載された竿ピンチ。
【発明の詳細な説明】
【技術分野】
【０００１】  本発明は、洗濯物を干す際だけでなく、様々な用途に用いることができる竿ピンチに関するものである。
【背景技術】
【０００２】  洗濯物を干すための洗濯ばさみや竿ピンチは、物干し竿にシャツ等の洗濯物を干す際にハンガーを固定して吊るす用途に用いられるだけでなく、何かに物を固定する際に広く用いられている。【０００３】  しかし、従来の竿ピンチでは、物干し竿にシャツ等の洗濯物を干す際にハンガーを固定して吊るす用途に限定され、ベビーカーや車椅子などにかばんやレジ袋等の荷物をかけたりという、使用者に合わせた用途では十分に使用できず、使用方法が限られているという問題があった。【０００４】  また、ベビーカーに子どもを乗せて外出したり、高齢者が外出時に歩行補助用品兼買い物カートを使用する際に、頻繁に使用するものはなるべく手元の近くのハンドル部付近において保持したいという要望もある。【０００５】  このような問題を解決するために、物干し竿等を挟み込むタイプの洗濯バサミであって、洗濯バサミの物干し竿を挟み込む部分の下部に空間を設けることによって、そこにハンガーのフック部を掛け、ハンガーを固定して吊るすことができる洗濯バサミ（特許文献１）と、１対の摘み腕と、該摘み腕の開閉の中心軸を構成する部分から各々延長されて固定対象である物干し竿の外周面に適合した内側形状を形成してなる１対の挟み腕と、該挟み腕を挟み方向に付勢するバネ体とを備えて、前記物干し竿に掛けた洗濯物を前記１対の挟み腕で外側から挟み込んで前記物干し竿上に固定するための竿ピンチにおいて、前記１対の挟み腕は、閉じた状態で挟み方向の内径が前記物干し竿の外径よりも小さくなる第１の竿挿通部を構成する基端側部分と、該基端側部分の先端側から各々延設されて閉じた状態で挟み方向の内径が前記物干し竿の外径よりも大きく前記物干し竿を遊動可能な状態で挿通させる第２の竿挿通部を構成する先端側部分とからなり、前記第１の竿挿通部と前記第２の竿挿通部とで間に幅狭部を有した瓢箪状の内側空間を形成しており、前記摘み腕を摘んで前記第２の竿挿通部の開放端及び前記幅狭部を開き前記第１の竿挿通部に前記物干し竿を入れて挟み込むことで前記物干し竿上に固定され、その状態から前記摘み腕を摘んで前記幅狭部を開き前記第２の竿挿通部に前記物干し竿を移動させて閉じることで前記開放端及び前記幅狭部の幅が前記物干し竿の外径よりも小さくなり、前記第２の竿挿通部で前記物干し竿に掛けた状態で脱落しないとともに前記干し竿の長さ方向にスライド移動自在なものとなることを特徴とする竿ピンチ（特許文献２）が知られている。
【先行技術文献】
【特許文献】
【０００６】
【特許文献１】実登３１２５６２０号公報
【０００７】
【特許文献２】特開２０１１−２５０９６８号公報
【発明の概要】
【発明が解決しようとする課題】
【０００８】  しかし、上述した従来の洗濯ばさみや竿ピンチでは、「物干し竿にシャツ等の洗濯物を干す際に、ハンガーを固定して吊るす用途に限定され、ベビーカーや車椅子などにかばんやレジ袋等の荷物をかけたりという、使用者に合わせた用途では使用できず、使用方法が限られている」という問題点がある。【０００９】  本発明は、このような事情に鑑みてなされたものであり、従来の竿ピンチとしての洗濯物等落下防止の強化だけでなく、使用方法が多様化できるようにすることを目的とする。
【課題を解決するための手段】
【００１０】  このような目的に応えるために本発明に係る多目的竿ピンチは、竿状体に取り付けて使用される竿ピンチであって、連結部によって開閉自在に連結される一対の挟持片と、挟持片が閉じる方向へ付勢する弾性部材と、挟持片と一体成形され、一対の挟持片を開閉させるための操作部となる一対の把持部とからなり、把持部が掛止構造を備えることを特徴とする。【００１１】  このように構成することで、本発明の多目的竿ピンチは、ただ洗濯物を干す為だけに使用するだけでなく、掛止構造があるため、使用方法を多様化することができる。【００１２】  このような目的に応えるために本発明に係る多目的竿ピンチは、掛止構造が、把持部の少なくとも一方が鉤型構造であることを特徴とする。【００１３】  このように構成することで、本発明の多目的竿ピンチは、ベビーカーや車椅子などのハンドル等にかばんやレジ袋等の荷物の持ち手部等を掛止することができる。【００１４】  このような目的に応えるために本発明に係る多目的竿ピンチは、掛止構造が、把持部の少なくとも一方が把持部を貫通する孔型構造であるであることを特徴とする。【００１５】  このように構成することで、本発明の多目的竿ピンチは、該孔型構造に鉤型掛止部材を掛止することができる。【００１６】  このような目的に応えるために本発明に係る多目的竿ピンチは、一対の挟持片の一方が鉤型に構成され、もう一方が鉤型挟持片とかみ合う際に略円形となるように構成されていることを特徴とする。【００１７】  このように構成することで、本発明の竿ピンチは、竿ピンチの内径が物干し竿やベビーカー等のハンドルの直径と一致しない場合に、挟持片が閉じる方向へ付勢する弾性部材の把持力が不足でも鉤型の挟持片が掛止構造となることにより、かばんやレジ袋を掛けた際の竿ピンチの落下を防止することができる。【００１８】  このような目的に応えるために本発明に係る多目的竿ピンチは、掛止構造が、内側に滑り止めを備えることを特徴とする。【００１９】  このように構成することで、本発明の多目的竿ピンチは、掛けた荷物の持ち手部等やハンガー等鉤型掛止部材が滑って落下することを防止することができる。
【発明の効果】
【００２０】  以上説明したように、本発明に係る多目的竿ピンチによれば、洗濯時に使用する為だけの洗濯バサミとしてだけではなく、ベビーカーや車椅子などにかばんやレジ袋等の荷物をかけたりという、その他の場面でも使用者に合わせた方法で使用できるようにすることができるという優れた効果がある。
【図面の簡単な説明】
【００２１】
【図１】本発明に係る第一の実施の形態の竿ピンチの斜視図である。
【図２】図１の竿ピンチの閉じた状態の正面図である。
【図３】図１の竿ピンチの開いた状態の正面図である。
【図４】図１の竿ピンチのハンガーについての第一の使用方法の説明図である。
【図５】図１の竿ピンチのハンガーについての第二の使用方法の説明図である。
【図６】図１の竿ピンチのベビーカーについての使用方法の説明図である。
【図７】本発明に係る第二の実施の形態の竿ピンチの斜視図である。
【発明を実施するための形態】
【００２２】  本発明は以上のような構成であるので、これを図面に基づきながら本発明の実施の形態を説明する。
【００２３】  図面は本発明に係る竿ピンチの実施の形態を示す。
図１ないし図６は、本発明に係る竿ピンチの第一の実施の形態であって、全体記号１で示すのが、本発明に係る竿ピンチである。
【００２４】  図１は、本発明に係る竿ピンチ１の斜視図を示している。
本発明に係る竿ピンチ１は、鉤型挟持片１０穴開き把持部１３からなる一方の部材と棒状挟持片１１と鉤型把持部１４からなるもう一方の部材と、円弧条バネ１２からなり、円弧条バネ１２が金属製である以外は、プラスチック製である。
【００２５】  図２に示すように、鉤型挟持片１０穴開き把持部１３からなる一方の部材と棒状挟持片１１と鉤型把持部１４からなるもう一方の部材とは、その開閉の中心軸において円弧条バネ１２のより挟み方向に付勢されている。
【００２６】  図３に示すように、円弧条バネ１２の付勢力に抗しながら、穴開き把持部１３と鉤状把持部１４とを矢印の方向に指で摘んで開くことができ、この開いた状態で物干し竿等を鉤型挟持片１０と棒状挟持片１１の間に通して挟み込むことができる。
【００２７】  図４（ａ）は物干し竿３０にハンガー２０をフック２１によって掛止した状態の斜め下方向からの斜視図であり、（ｂ）に示すように、本発明に係る竿ピンチ１によってフック２０の外側から挟み込むことによって、強風時においてもハンガー２０が飛ばされないように押さえることができる。
【００２８】  図５（ａ）は物干し竿３０に本発明に係る竿ピンチ１を掛止した状態の斜め上方向からの斜視図であり、鉤型挟持片１０によって物干し竿３０にぶら下がる状態とすることができ、（ｂ）に示すように、穴開き把持部１３の孔にフック２１を掛止することによりハンガー２０を掛止することができ、ハンガー２０を竿から１段下げて洗濯物を干すことができる為、本発明に係る竿ピンチ１のとなりに物干し竿３０に直接ハンガーをかけると、ハンガー同士が密着することがなく風通しが良くなり、洗濯物が乾きやすくなるという効果がある
【００２９】  図６（ａ）はベビーカー３１のハンドル３２に本発明に係る竿ピンチ１を掛止した状態の斜め上方向からの斜視図であり、鉤型挟持片１０によってハンドル３０にぶら下がる状態とすることができ、（ｂ）に示すように、鉤型把持部１４の鉤にレジ袋４０を掛止することができ、またカバン等を掛けることもでき、これをベビーカーではなく歩行困難者向けの手押し車に応用するなど、使用者に合わせて様々な用途で使用できるという効果がある
【００３０】  図７は、本発明に係る竿ピンチの第二の実施の形態であって、穴開き把持部１３と鉤型把持部１４の屈曲部内側にゴム製などの滑り止めを備えることにより、ハンガーやレジ袋、かばん等の落下を防止することができるという効果がある。
【００３１】  以上、本考案の実施するための最良の形態を説明したが、本考案はこの形態に限定されるものではなく、両方の把持部を穴開きとしたり、あるいは両方の把持部を鉤型にすることもでき、また、鉤型挟持片と棒状挟持片により囲まれる部分の形状も略長円状に限らず、他の形状にしてもよい。両挟持片ともに鉤型で、鉤部の長さを一方において長くもう一方において短くした形状で両挟持片を組み合わせることも可能である。また、材質も用途や使用場所に合わせて、変更することができる。
【産業上の利用可能性】
【００３２】  本発明に係る竿ピンチは、物干し竿やベビーカー等のハンドル等にとどまらず、室内や屋外において様々な道具や装飾品を設置する際の、固定部材やその補助などの用途にも適用することができる。
【符号の説明】
【００３３】１    竿ピンチ
１０  鉤型挟持片
１１  棒状挟持片
１２  円弧条バネ
１３  穴開き把持部
１４  鉤型把持部
１５  滑り止め
１６  滑り止め
２０  ハンガー
２１  フック
３０  物干し竿
３１  ベビーカー
３２  ハンドル
４０  レジ袋
【図１】
2019150541.tif 000003
【図２】
2019150541.tif 000004
【図３】
2019150541.tif 000005
【図４】
2019150541.tif 000006
【図５】
2019150541.tif 000007
【図６】
2019150541.tif 000008
【図７】
2019150541.tif 000009
【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
竿状体に取り付けて使用される竿ピンチであって、
連結部によって開閉自在に連結される一対の挟持片と、
前記挟持片が閉じる方向へ付勢する弾性部材と、
前記挟持片と一体成形され、前記一対の挟持片を開閉させるための操作部となる一対の把持部とからなり、
前記把持部が掛止構造を備え、
前記挟持片の一方が棒状で、他方が鉤状であり、棒状挟持片と鉤状挟持片が、噛み合うようになっていることを特徴とする竿ピンチ。
【請求項２】
前記掛止構造が、前記把持部の少なくとも一方が鉤型構造であることを特徴とする、請求項１に記載された竿ピンチ。
【請求項３】
前記掛止構造が、前記把持部の少なくとも一方が前記把持部を貫通する孔型構造であることを特徴とする、請求項１に記載された竿ピンチ。
【請求項４】
前記一対の挟持片の一方が鉤型に構成され、もう一方が前記鉤型挟持片とかみ合う際に略円形となるように構成されていることを特徴とする、請求項１ないし請求項３のいずれか１項に記載された竿ピンチ。
【請求項５】
前記掛止構造が、内側に滑り止めを備えることを特徴とする、請求項１ないし請求項４のいずれか１項に記載された竿ピンチ。